(57)【特許請求の範囲】
【請求項１】
カメラを保持するカメラ保持部材と、このカメラ保持部材を収容する筺体を形成するフロントケースおよびリアケースと、このリアケースから露呈し前記カメラ保持部材を揺動操作する操作部材とを備えたカメラの支持構造において、
前記操作部材を前記カメラ保持部材に一体に設け、
前記カメラ保持部材を接合部が共に開口したフロントハウジングとリアハウジングとによって構成し、これらフロントハウジングとリアハウジングとを着脱自在に結合する結合手段を設け、
前記カメラ保持部材の前部および後部のそれぞれに半球面部を設け、前記フロントハウジングおよびリアハウジングのそれぞれに前記カメラ保持部材の半球面部に対接する複数のリブを設け、
前記カメラ保持部材と前記リアケースとの間に弾装され、カメラ保持部材を前記フロントケース側に付勢するボールプランジャーを設け、
前記ボールプランジャを前記カメラ保持部材と前記リアケースとのいずれか一方に設け、他方に前記ボールプランジャーのボールが選択的に係合する複数の係合部を設け、
前記フロントケースと前記リアケースとを結合することにより、前記フロントケースおよびリアケースのそれぞれのリブが前記フロントハウジングおよびリアハウジングの各半球面部に対接し、前記ボールプランジャーの付勢力によって、前記フロントケースのリブと前記フロントハウジングの半球面部との間の遊動が除去された状態で、前記カメラ保持部材が前記フロントケースおよびリアケースによって揺動自在に支持されることを特徴とするカメラの支持構造。
【発明の詳細な説明】
【技術分野】
【０００１】
本発明は、例えば玄関先で来訪者を撮像して室内のモニタ装置で来訪者を視認するために、ドアホン内に内蔵して使用されるカメラの支持構造に関するものである。
【背景技術】
【０００２】
従来のカメラの支持構造としては、揺動自在に支持されたカメラユニットと、カメラの撮像方向を調整する操作レバーとを備え、この操作レバーによる操作をカメラユニットに伝達するために、操作レバーに設けた係入孔に係入される伝達ピンをカメラユニットに設けたものがある（例えば、特許文献１参照）。
【特許文献１】特開２００１−１６３０７号公報
【発明の開示】
【発明が解決しようとする課題】
【０００３】
上述した従来のカメラの支持構造においては、カメラユニットと操作レバーとが別部材によって構成され、かつカメラユニットを揺動自在に支持するための回転軸も必要になるため部品点数が多くなり、これらの部品を組み立てるための組立工数が増加するという問題があった。また、操作レバーによる操作を伝達ピンを介してカメラユニットに伝達する構造であるため、各部品間の組立精度が悪いと操作レバーによる操作がカメラユニットに円滑に伝達されないことがあり、操作性が悪くなるという問題もあった。
【０００４】
本発明は上記した従来の問題に鑑みなされたものであり、その目的とするところは、組立を容易にし操作性を向上させたカメラの支持構造を提供するところにある。
【課題を解決するための手段】
【０００５】
この目的を達成するために、本願発明は、カメラを保持するカメラ保持部材と、このカメラ保持部材を収容する筺体を形成するフロントケースおよびリアケースと、このリアケースから露呈し前記カメラ保持部材を揺動操作する操作部材とを備えたカメラの支持構造において、前記操作部材を前記カメラ保持部材に一体に設け、前記カメラ保持部材を接合部が共に開口したフロントハウジングとリアハウジングとによって構成し、これらフロントハウジングとリアハウジングとを着脱自在に結合する結合手段を設け、前記カメラ保持部材の前部および後部のそれぞれに半球面部を設け、前記フロントハウジングおよびリアハウジングのそれぞれに前記カメラ保持部材の半球面部に対接する複数のリブを設け、前記カメラ保持部材と前記リアケースとの間に弾装され、カメラ保持部材を前記フロントケース側に付勢するボールプランジャーを設け、前記ボールプランジャを前記カメラ保持部材と前記リアケースとのいずれか一方に設け、他方に前記ボールプランジャーのボールが選択的に係合する複数の係合部を設け、前記フロントケースと前記リアケースとを結合することにより、前記フロントケースおよびリアケースのそれぞれのリブが前記フロントハウジングおよびリアハウジングの各半球面部に対接し、前記ボールプランジャーの付勢力によって、前記フロントケースのリブと前記フロントハウジングの半球面部との間の遊動が除去された状態で、前記カメラ保持部材が前記フロントケースおよびリアケースによって揺動自在に支持されることを特徴とするものである。
【発明の効果】
【００１０】
本願発明によれば、カメラ保持部材を揺動自在に支持するための専用の部材を必要としない。また、フロントケースとリアケースとを組み立てるときに、同時にカメラ保持部材を組み付けることができるから組立が容易になる。また、伝達部材を介することなく、操作部材によってカメラ保持部材を直接操作することができるため、カメラ保持部材を円滑に操作することができ操作性が向上する。また、カメラ保持部材をフロントハウジングとリアハウジングとに分解することができるため、カメラの保守点検が容易になる。また、カメラ保持部材の半球面部に対接する部材を接触面積の少ない複数のリブとしたことにより、半球面部に対するリブの接触抵抗が小さくなるためカメラ保持部材を円滑に揺動させることができる。また、カメラ保持部材とフロントケースおよびリアケースとの間に発生するクリアランスによる遊動を除去することができる。また、ボールと係合部との係合を比較的使用頻度の高いカメラの撮像方向に設定することができるため、調整を短時間で容易に行うことができるとともに、ボールと係合部との係合によって設定された撮像方向が維持される。
【発明を実施するための最良の形態】
【００１５】
以下、本発明の実施の形態を図に基づいて説明する。図１は本発明に係るカメラの支持構造が実施されたドアホンの正面図、図２は同じくドアホンを正面側から視た分解斜視図、図３は同じくドアホンを背面側から視た分解斜視図、図４は同じくドアホンを構成するフロントケースの背面図、図５は同じくドアホンを構成するリアケースの正面図、図６は同じくカメラ保持部材を構成するフロントハウジングを示し、同図（Ａ）は同図（Ｂ）におけるVI（Ａ）矢視図、同図（Ｂ）は側面図、同図（Ｃ）は同図（Ｂ）におけるVI（Ｃ）矢視図である。
【００１６】
図７は本発明に係るカメラの支持構造が実施されたドアホン内に設けられたカメラ保持部材を構成するリアハウジングを示し、同図（Ａ）は同図（Ｂ）におけるVII （Ａ）矢視図、同図（Ｂ）は側面図、図８は図１におけるVIII-VIII 線断面図であって、同図（Ａ）はカメラの撮像方向が正面を指向している状態を示し、同図（Ｂ）はカメラの撮像方向が斜め上方向を指向している状態を示し、図９は図１におけるIX-IX 線断面図であって、同図（Ａ）はカメラの撮像方向が斜め左方向を指向している状態を示し、同図（Ｂ）はカメラの撮像方向が斜め右方向を指向している状態を示す。
【００１７】
図２に全体を符号１で示すドアホンは、フロントケース２と、このフロントケース２の後部側（矢印Ｂ方向）の開口を覆うリアケース３と、これら両ケース２，３に挟持されて揺動自在に支持されるカメラユニット４とから概略構成されている。フロントケース２の前板５には、透明板６を取り付けるための段部７が設けられており、この段部７の中央部には透孔８が設けられている。９は前板５に設けられた凹部であって、この凹部９の中央部には、円筒状に形成された支持体９ａが突設されている。
【００１８】
１０は後部側にスタッド１０ａが突設された押釦であって、スタッド１０ａを支持体９ａ内に挿通し、このスタッド１０ａの支持体９ａから露呈した先端部に、図３に示すようにねじ１２によって抜け止め片１１を取り付けることにより、押釦１０は凹部９内を摺動自在に支持される。押釦１０と凹部９との間には、圧縮コイルばね（図示せず）が弾装されており、押釦１０はこの圧縮コイルばねの弾発力によって凹部９から突出する方向に付勢されている。
【００１９】
フロントケース２の裏面側の四隅には、図４に示すように４本のスタッド１４が一体に突設されている。また、フロントケース２の裏面側で透孔８の周縁部には、複数個のリブ１５が一体に突設されており、これらリブ１５には、後述するフロントハウジング３１の半球面部３４に対接する断面が湾曲状に形成された対接部１５ａが設けられている。１６，１７は、後述するフロントハウジング３１の規制片３７Ａ，３７Ｂを案内する各一対の案内片であって、透孔８を挟むようにフロントケース２の後部側へ突設されている。これら案内片１６，１７は、後述するようにカメラ保持部材３０を揺動させるときに、カメラ保持部材３０の前後方向の移動を案内し、カメラ保持部材３０の透孔８の円周方向への回動を規制する。
【００２０】
リアケース３の裏面側の四隅には、図２および図５に示すようにねじ挿通孔が設けられた４本のスタッド２０が一体に突設されている。２１はリアケース３の内側に膨出するように形成された膨出部であって、傾斜した膨出面２１ａの上端側には、後述するリアハウジング３２の半球面部４４が対向する凹面鏡状に形成された対向部２２が設けられており、下端側にはＴ字状に形成された案内溝２３が設けられている。２４は対向部２２およびリアケース３の裏面側に一体に突設された四個のリブであって、これらリブ２４には、リアハウジング３２の半球面部４４に対接する断面が湾曲状に形成された対接部２４ａが設けられている。
【００２１】
対向部２２には、後述するボールプランジャ６０のボール６２が選択的に係合する四個の係合凹部２５ａないし２５ｄが設けられている。係合凹部２５ｂは、図５に示すように係合凹部２５ａの下方に位置付けられ、係合凹部２５ｃは係合凹部２５ａの左方に位置付けられ、係合凹部２５ｄは係合凹部２５ａの右方に位置付けられ、係合凹部２５ａと係合凹部２５ｂ，２５ｃ，２５ｄとの間の各間隔が同じ間隔に設定されている。
【００２２】
カメラユニット４は、図２に示すようにカメラ保持部材３０を構成するフロントハウジング３１およびリアハウジング３２と、これら両ハウジング３１，３２内に収容されて保持されるカメラ３３とから概略構成されている。フロントハウジング３１は、図６に示すように前部側（矢印Ａ方向）にすり鉢状に形成された半球面部３４と、この半球面部３４の後部側（矢印Ｂ方向）の開口端に設けられた鍔３５とによって形成されている。半球面部３４の前部側（矢印Ａ方向）には透孔３６が設けられており、鍔３５には互いに反対方向へ突設された規制片３７Ａ，３７Ｂが設けられている。３８は互いに円周方向に等間隔おいて鍔３５に設けられた３個の係入孔であって、これら係入孔３８の端縁には係合突起３９が突設されている。
【００２３】
４０，４１は半球面部３４の内面に同心円状に突設されたリングであって、小径のリング４０は透孔３６と同じ径に形成されている。大径のリング４１の端面には、互いに円周方向に１８０°ずれた位置に先端に位置決め用突子４２ａを有する支柱４２，４２と、互いに円周方向に１８０°ずれた支柱４３，４３とが矢印Ｂ方向へ突設されている。
【００２４】
リアハウジング３２は、図７（Ｂ）に示すように後部側（矢印Ｂ方向）に半球面状に形成された半球面部４４と、この半球面部４４の前部側（矢印Ａ方向）の開口端に設けられた鍔４５とによって形成されており、鍔４５と上記したフロントハウジング３１の鍔３５とは互いに接合される。半球面部４４の頂部には、矢印Ｂ方向が開口し有底円筒状に形成されたボールプランジャ受け部４６（図８参照）が矢印Ａ方向へ向かって突設されている。半球面部４４の内面には、図７（Ａ）に示すように円周方向に互いに９０°位相がずれた４個の支持突子４７が設けられている。
【００２５】
鍔４５の下部には膨出部４８が設けられ、この膨出部４８には操作部４９が一体に突設されている。鍔４５の周縁部には、互いに円周方向に等間隔おいて三本の弾性係合片５０が前方に突設されており、これら弾性係合片５０の先端部には、上記したフロントハウジング３１の係合突起３９に係合する爪５０ａが設けられている。
【００２６】
図２において、５５は矩形状に形成されたプリント配線板であって、四隅のうちの対角線上に位置する二偶に、上記したフロントハウジング３１の支柱４２の位置決め用突子４２ａが嵌合する嵌合孔５６，５６（一方の嵌合孔５６を図示せず）が設けられている。このプリント配線板５５に上記したカメラ３３の基端部が実装されている。
【００２７】
６０はボールプランジャであって、図８に示すように有底円筒状に形成された筒体６１と、この筒体６１の開口からの抜けを規制された状態で筒体６１内を摺動自在なボール６２と、筒体６１内に弾装されボール６２の一部を筒体６１の開口から露呈させるように付勢する圧縮コイルばね６３とによって構成されている。
【００２８】
このような構成において、プリント配線板５５の四隅を、図２に示すようにリアハウジング３２の４個の支持突子４７のそれぞれに対接させ、フロントハウジング３１の二つの支柱４２の位置決め用突子４２ａをプリント配線板５５の二つの嵌合孔５６に嵌合させ、他の二つの支柱４３の先端をプリント配線板５５の表面に対接させる。このとき、リアハウジング３２の弾性係合片５０をフロントハウジング３１の係入孔３８に係入させ、弾性係合片５０を弾性変形させながら爪５０ａを係合突起３９に係合させることにより、両ハウジング３１，３２が両鍔３５，４５を対接させた状態で結合される。この状態で、プリント配線板５５の四隅が、一対の支柱４２および一対の支柱４３と四個の支持突子４７とで挟持されることにより、カメラ３３が両ハウジング３１，３２に保持されカメラユニット４が形成される。両ハウジング３１，３２に保持されたカメラ３３のレンズ（図示せず）はフロントハウジング３１の透孔３６内に臨むことになる。
【００２９】
このように形成されたカメラユニット４のフロントハウジング３１の透孔３６をフロントケース２の透孔８に一致させるようにして、フロントハウジング３１の半球面部３４をフロントケース２のリブ１５の対接部１５ａに対接させる。この状態で、リアハウジング３２のボールプランジャ受け部４６内にボールプランジャ６０を係入させ、リアケース３の案内溝２３にリアハウジング３２の操作部４９を臨ませるようにして、リアケース３によってフロントケース２の開口を閉じる。次いで、ねじ６５をリアケース３のスタッド２０のねじ孔を挿通させ、フロントケース２のスタッド１４に螺合させることにより、フロントケース２とリアケース３とが結合されてドアホン１が形成される。
【００３０】
このように形成されたドアホン１においては、図８に示すようにリアケース３のリブ２４の対接部２４ａがリアハウジング３２の半球面部４４に対接し、カメラ保持部材３０がリアケース３のリブ２４とフロントケース２のリブ１５とによって、上下方向および左右方向へ揺動自在に支持される。この状態で、ボールプランジャ６０のボール６２が、圧縮コイルばね６３の弾発力によってリアケース３の対向部２２に圧接される。したがって、フロントケース２のリブ１５の対接部１５ａとフロントハウジング３１の半球面部３４との間に発生するクリアランスおよびリアケース３のリブ２４の対接部２４ａとリアハウジング３２の半球面部４４との間に発生するクリアランスに起因する遊動を圧縮コイルばね６３の弾発力によって除去することができる。このため、カメラ保持部材３０の揺動が円滑に行われる。
【００３１】
このような構成において、リアケース３の案内溝２３から突出したリアハウジング３２の操作部４９を案内溝２３の図５中に示す中央位置２３ａに位置させると、ボールプランジャ６０のボール６２がリアケース３の四個の係合凹部２５ａないし２５ｄのうちの係合凹部２５ａに係合する。この状態で、保持部材３０に保持されたカメラ３３の撮像方向は、図８（Ａ）に示すように前方を指向する。
【００３２】
この状態から、操作部４９を案内溝２３の図５中に示す下方位置２３ｂに位置させると、ボールプランジャ６０のボール６２が係合凹部２５ｂに係合し、保持部材３０が図８中時計方向へ揺動してカメラ３３が上方に傾動することにより、カメラ３３の撮像方向は、同図（Ｂ）に示すように角度αだけ斜め上方向を指向する。
【００３３】
次いで、操作部４９を案内溝２３の図５中に示す左方位置２３ｃに位置させると、ボールプランジャ６０のボール６２が係合凹部２５ｃに係合し、保持部材３０が図９中時計方向へ揺動してカメラ３３が右方に傾動することにより、カメラ３３の撮像方向は、同図（Ａ）に示すように角度αだけ斜め右方向を指向する。
【００３４】
また、操作部４９を案内溝２３の図５中に示す右方位置２３ｄに位置させると、ボールプランジャ６０のボール６２が係合凹部２５ｄに係合し、保持部材３０が図９中反時計方向へ揺動してカメラ３３が左方に傾動することにより、カメラ３３の撮像方向は、同図（Ｂ）に示すように角度αだけ斜め左方向を指向する。
【００３５】
このように、カメラ保持部材３０を揺動させるための操作部４９を、カメラ保持部材３０を構成するリアハウジング３２に一体に設け、カメラ保持部材３０を伝達部材を介することなく直接操作するようにしたことにより、カメラ保持部材３０を円滑に操作することができ操作性が向上する。
【００３６】
また、ボールプランジャ６０のボール６２と係合凹部２５ａないし２５ｄとの係合を比較的使用頻度の高いカメラ３３の撮像方向に設定することができるため、調整を短時間で容易に行うことができるとともに、ボール６２と係合凹部２５ａないし２５ｄとの係合によって設定された撮像方向が維持される。
【００３７】
また、カメラ保持部材３０をフロントケース２とリアケース３とによって揺動自在に支持したことにより、揺動自在に支持するための専用な部材を必要としない。また、フロントケース２とリアケース３とを組み立てるときに、同時にカメラ保持部材３０を組み付けることができるから組立が容易になる。
【００３８】
また、フロントハウジング３１の係合突起３９とリアハウジング３２の弾性係合片５０との係合を解除することにより、カメラ保持部材３０をフロントハウジング３１とリアハウジング３２とに分解することができるため、カメラ３３の保守点検が容易になる。
【００３９】
なお、本実施の形態においては、リアハウジング３２にボールプランジャ６０を収容するようにしたが、リアケース３側にボールプランジャ６０を収容するようにしてもよい。また、リアハウジング３２のボールプランジャ受け部４６にボールプランジャを収容するようにしたが、ボールプランジャ受け部４６に直接ボール６２と圧縮コイルばね６３とを収容するようにしてもよい。また、フロントハウジング３１とリアハウジング３２とを係合突起３９と弾性係合片５０とによって結合するようにしたが、両ハウジング３１，３２の互いに接合された鍔３５，４５間をねじによって結合するようにしてもよい。
【図面の簡単な説明】
【００４０】
【図１】本発明に係るカメラの支持構造が実施されたドアホンの正面図である。
【図２】本発明に係るカメラの支持構造が実施されたドアホンを正面側から視た分解斜視図である。
【図３】本発明に係るカメラの支持構造が実施されたドアホンを背面側から視た分解斜視図である。
【図４】本発明に係るカメラの支持構造が実施されたドアホンを構成するフロントケースの背面図である。
【図５】本発明に係るカメラの支持構造が実施されたドアホンを構成するリアケースの正面図である。
【図６】カメラ保持部材を構成するフロントハウジングを示し、同図（Ａ）は同図（Ｂ）におけるVI（Ａ）矢視図、同図（Ｂ）は側面図、同図（Ｃ）は同図（Ｂ）におけるVI（Ｃ）矢視図である。
【図７】本発明に係るカメラの支持構造が実施されたドアホン内に設けられたカメラ保持部材を構成するリアハウジングを示し、同図（Ａ）は同図（Ｂ）におけるVII （Ａ）矢視図、同図（Ｂ）は側面図である。
【図８】図１におけるVIII-VIII 線断面図であって、同図（Ａ）はカメラの撮像方向が正面を指向している状態を示し、同図（Ｂ）はカメラの撮像方向が斜め上方向を指向している状態を示す。
【図９】図１におけるIX-IX 線断面図であって、同図（Ａ）はカメラの撮像方向が斜め左方向を指向している状態を示し、同図（Ｂ）はカメラの撮像方向が斜め右方向を指向している状態を示す。
【符号の説明】
【００４１】
１…ドアホン、２…フロントケース、３…リアケース、４…カメラユニット、１５，２４…リブ、２３…案内溝、２５ａないし２５ｄ…係合凹部、３０…カメラ保持部材、３１…フロントハウジング、３２…リアハウジング、３３…カメラ、３４，４４…半球面部、３９…係合突起、４９…操作部、５０…弾性係合片、５５…プリント配線板、６０…ボールプランジャ、６２…ボール、６３…圧縮コイルばね。
【図１】
0004843577.tif 000002
【図２】
0004843577.tif 000003
【図３】
0004843577.tif 000004
【図４】
0004843577.tif 000005
【図５】
0004843577.tif 000006
【図６】
0004843577.tif 000007
【図７】
0004843577.tif 000008
【図８】
0004843577.tif 000009
【図９】
0004843577.tif 000010